(57)【要約】【課題】番組の記録結果に生じる不所望な欠落を防止する。【解決手段】番組記録装置は、ファイルを保持するストレージ２６，３３と、番組を選択する操作部２３，２５と、操作部２３，２５により選択された番組を受信しながら再生する受信処理回路１１〜２２と、視聴者が受信処理回路１１〜２２によって再生される番組を視聴していない無視聴状態を検出するセンサ２０Ａと、番組の選択に伴ってこの番組をファイルとしてストレージ２６，３３に記録し、この番組の終了まで無視聴状態にならなかったことを確認してストレージ２６，３３からこの番組のファイルを消去する記録コントローラ３１とを備える。【選択図】図２
2011015084.tif 000002
【特許請求の範囲】
【請求項１】
ファイルを保持するストレージと、
番組を選択する操作部と、
前記操作部により選択された番組を受信しながら再生する受信処理回路と、
視聴者が前記受信処理回路によって再生される番組を視聴していない無視聴状態を検出する人感センサと、
前記操作部による番組選択に伴って前記番組を前記ファイルとして前記ストレージに記録し、この番組の終了まで前記無視聴状態にならなかったことを確認して前記ストレージからこの番組のファイルを消去する記録コントローラとを備えることを特徴とする番組記録装置。
【請求項２】
前記ストレージはＲＡＭおよびハードディスクドライブを含み、前記記録コントローラは前記番組の終了までに前記無視聴状態になったことを確認して前記番組を前記ＲＡＭから前記ハードディスクドライブに移動させて録画リストに登録することを特徴とする請求項１に記載の番組記録装置。
【請求項３】
前記ストレージはハードディスクドライブを含み、前記記録コントローラは前記番組の終了までに前記無視聴状態になったことを確認して前記番組を前記ハードディスクドライブにおいて一領域から別の領域に移動させて録画リストに登録することを特徴とする請求項１に記載の番組記録装置。
【請求項４】
前記記録コントローラは前記番組の記録中に前記操作部によって行われる保存要求操作に従って前記番組の終了後に前記番組を消去せずに前記ストレージに残すことを特徴とする請求項１に記載の番組記録装置。
【請求項５】
前記記録コントローラは前記番組の記録中に前記操作部によって行われる追いかけ再生要求操作に従って前記番組を再生することを特徴とする請求項１に記載の番組記録装置。
【請求項６】
前記追いかけ再生要求操作に従って再生される前記番組は前記無視聴状態が前記センサにより検出された最先の時点から再生されることを特徴とする請求項５に記載の番組記録装置。
【請求項７】
前記記録コントローラは前記番組の終了後に前記番組が録画済であることをディスプレイに表示させることを特徴とする請求項１に記載の番組記録装置。
【請求項８】
前記記録コントローラは前記番組の終了後に前記操作部によって行われる問合せ操作に従って前記番組を登録した録画リストを表示させることを特徴とする請求項１に
記載の番組記録装置。
【請求項９】
前記操作部は無指向性の赤外線センサを前記人感センサとして設けたリモコンを含むことを特徴とする請求項１に記載の番組記録装置。
【請求項１０】
番組を選択し、
選択された番組を受信しながら再生し、
番組選択に伴って前記番組をファイルとしてストレージに記録し、
前記番組の終了まで無視聴状態にならなかったことを確認して前記ストレージからこの番組のファイルを消去することを特徴とする番組記録方法。
【発明の詳細な説明】
【技術分野】
【０００１】
本発明は、主にテレビ放送番組を録画する番組記録装置および番組記録方法に関し、特に録画条件が視聴者の状態に依存する番組記録装置および番組記録方法に関する。
【背景技術】
【０００２】
近年では、テレビ受信装置の多機能化が著しい。例えばハードディスク内蔵のテレビ受信装置では、このハードディスクが例えば電子番組表で選択される所望の放送番組を予約録画したり、視聴中の放送番組を録画したりするために利用される。
【０００３】
最近では、視聴者がモニタの前方範囲から外れた場合に放送番組の録画を開始する技術が知られている(例えば、特許文献１を参照）。この技術では、来客等により放送番組の視聴を継続できない状況になっても、この放送番組が機器操作を必要とせずに自動的に録画される。従って、視聴者が見逃した放送番組の部分を後で視聴できる。
【先行技術文献】
【特許文献】
【０００４】
【特許文献１】特開２００６−７４４３４号公報
【発明の概要】
【発明が解決しようとする課題】
【０００５】
しかしながら、特許文献１の技術では、視聴者がモニタの前方範囲から外れたことを検出してから放送番組の録画開始までにタイムラグが生じる。従って、見逃した放送番組の記録結果はこのタイムラグに対応する期間において欠落する。
【０００６】
本発明の目的は、番組の記録結果に生じる不所望な欠落を防止できる番組記録装置および番組記録方法を提供することにある。
【課題を解決するための手段】
【０００７】
本発明の第１観点によれば、ファイルを保持するストレージと、番組を選択する操作部と、操作部により選択された番組を受信しながら再生する受信処理回路と、視聴者が受信処理回路によって再生される番組を視聴していない無視聴状態を検出する人感センサと、操作部による番組選択に伴って番組をファイルとしてストレージに記録し、この番組の終了まで無視聴状態にならなかったことを確認してストレージからこの番組のファイルを消去する記録コントローラとを備える番組記録装置が提供される。
【０００８】
本発明の第２観点によれば、番組を選択し、選択された番組を受信しながら再生し、番組選択に伴って番組をファイルとしてストレージに記録し、
番組の終了まで無視聴状態にならなかったことを確認してストレージからこの番組のファイルを消去する番組記録方法が提供される。
【発明の効果】
【０００９】
これら番組記録装置および番組記録方法では、番組が番組選択に伴ってファイルとしてストレージに記録され、無視聴状態に番組の終了までならなかったことを確認してストレージから消去される。従って、視聴者が例えば来客で視聴エリア外に移動し、再生される番組を視聴していない無視聴状態になっても、既に番組は番組選択に伴って記録されているため、この番組の記録結果において不所望な欠落が生じない。
【図面の簡単な説明】
【００１０】
【図１】本発明の一実施形態に係るテレビ受信装置の構成例を概略的に示すブロック図である。
【図２】図１に示す人感センサによって検出可能な視聴者の視聴エリアを示す図である。
【図３】図１に示すマイクロプロセッサで行われるコマンド処理を示すフローチャートである。
【図４】図３に示す見逃し防止録画番組の登録／消去処理を詳細に示すフローチャートである。
【図５】図１に示すリモコンで行われるメニュー操作により表示されるメニューの一覧を示す図である。
【図６】図１に示すリモコンに人感センサを設けた例を示す図である。
【発明を実施するための形態】
【００１１】
以下、本発明の一実施形態に係るテレビ受信装置について添付図面を参照して説明する。このテレビ受信装置は例えば地上アナログ放送、並びにＢＳ,ＣＳ,地上デジタル放送の番組を受信して録画する番組記録装置として機能する。
【００１２】
図１は、このテレビ受信装置の構成例を概略的に示す。このテレビ受信装置は、マイクロプロセッサ１０、デジタル用チューナ１１、アナログ用チューナ１２、デジタル用復調器１３、アナログ用復調器１４、およびＴＳ復号器１５を備える。
【００１３】
ＢＳ,ＣＳ,地上デジタル放送波はアンテナ１から受信信号としてデジタル用チューナ１１に供給され、地上アナログ放送波はアンテナ１から受信信号としてアナログ用チューナ１２に供給される。デジタル用チューナ１１およびアナログ用チューナ１２はフェーズロックドループ(ＰＬＬ)方式であり、マイクロプロセッサ１０の制御により中心周波数および帯域幅等の受信パラメータを指定してそれぞれ所望の放送波を選局するために用いられる。
【００１４】
デジタル用チューナ１１で選局した放送波の受信信号は、例えば日本の場合にＯＦＤＭ(orthogonal frequency division multiplexing)方式のデジタル用復調器１３およびＴＳ復号器１５に順次供給され、これらでデジタル映像信号および音声信号として復調および復号される。アナログ用チューナ１２で選局された受信信号はアナログ用復調器１４に供給され、ここでアナログ映像信号および音声信号に復調される。
【００１５】
このテレビ受信装置はさらに、および信号処理部１６、グラフィック処理部１７、ＯＳＤ(on screen display)信号生成部１８、映像処理部１９、ディスプレイ２０、音声処理部２１、スピーカ２２、操作パネル２３、赤外線受光部２４、リモコン２５、ハードディスクドライブ(ＨＤＤ)２６、ＵＳＢ(Universal Serial Bus)コネクタ２７、カードコネクタ２８、およびネットワーク通信回路２９を備える。信号処理部１６はＴＳ復号器１５からのデジタル映像信号および音声信号に対して選択的に所定のデジタル信号処理を施し、それぞれグラフィック処理部１７および音声処理部２１に出力する。また、信号処理部１６は、アナログ用復調器１４からのアナログ映像信号および音声信号を選択的にデジタル化し、このデジタル化された映像信号および音声信号に対して所定のデジタル信号処理を施し、それぞれグラフィック処理部１７および音声処理部２１に出力する。
【００１６】
グラフィック処理部１７は、信号処理部１６から出力されたデジタル映像信号にＯＳＤ信号生成部１８で生成されたＯＳＤ信号を選択的に重畳して出力する。映像処理部１９はグラフィック処理部１７から出力されたデジタル映像信号に対してディスプレイ２０に適合させる例えばサイズ調整等の変換を行う。ディスプレイ２０は映像処理部から出力された映像信号に対応する映像を表示する。音声処理部２１は信号処理部１６から出力されたデジタル音声信号をスピーカ２２に適合させる音量調整等の変換を行う。スピーカ２２は音声処理部２１から出力された音声信号に対応する音声を再生する。ここでは、コンポーネント１１〜２２が放送番組を受信しながら再生する受信処理回路を構成する。また、ディスプレイ２０の画面下方には、人感センサ２０Ａが設けられる。この人感センサ２０Ａは、図２に示すようにディスプレイ２０の正面空間を視聴エリアＡＲとする指向性を持つ赤外線センサであって、見逃し防止モードにおいてこの視聴エリアＡＲ内の視聴者の存在を周期的にチェックし、この結果として視聴者がこの視聴エリアＡＲ内で放送番組を視聴していない無視聴状態を検出する。実際に無視聴状態を検出すると、人感センサ２０Ａはこの放送番組に対する無視聴状態フラグをＲＡＭ３３の所定領域に設定する割込処理をマイクロプロセッサ１０で行わせる。また、人感センサ２０Ａは視聴者が視聴エリアＡＲ内に存在していても、眠っていてほとんど動かない場合には無視聴状態を検出する。ここで、見逃し防止モードとは、例えば視聴者が番組の視聴を継続できない状況に対処するためにこの番組を自動的に録画する録画モードを含む。尚、この録画モードでの番組録画を「見逃し防止録画」と呼ぶ。
【００１７】
マイクロプロセッサ１０は、操作パネル２３からの操作情報、またはリモコン２５から送出され赤外線受光部２４で受信された操作情報をコマンドとして受けて、その操作内容が反映されるように各コンポーネントを制御する。マイクロプロセッサ１０は様々な処理および制御を行うＣＰＵ(central processing unit)３１、このＣＰＵ３１の制御プログラムおよび様々な初期データを保持するＲＯＭ(read only memory)３２、ＣＰＵ３１の入出力情報を一時的に格納する作業エリアを提供するＲＡＭ(random access memory)３３、Ｉ２Ｃバス等を介して各コンポーネントに対する設定情報および制御情報を入出力するインタフェース３４、および放送波やネットワーク経由で取得される時刻情報および日付情報に従って補正される時計回路３５を含む。
【００１８】
ハードディスクドライブ２６は主に予約録画や視聴中断録画の対象となる放送番組のファイルを保持する不揮発性ストレージとして設けられる。ＵＳＢコネクタ２７は様々なＵＳＢ機器を接続するために設けられる。カードコネクタ２８は様々なメディアカードを接続するために設けられる。また、ネットワーク通信回路２９はインターネットに直接あるいはＬＡＮ(local area network)経由で接続される。
【００１９】
また、ＣＰＵ３１は、ＯＳＤ信号生成部１８を制御してディスプレイ２０に表示すべき様々なメニュー画面の画像を生成する。さらにＣＰＵ３１は、受信開始時から放送番組をファイルとしてＲＡＭ３３およびハードディスクドライブ２６のようなストレージに記録し、この放送番組の終了まで無視聴状態にならなかったことを確認してストレージからこの放送番組のファイルを消去する記録コントローラを構成する。ストレージにおいて、ＲＡＭ３３が受信開始時から記録される放送番組を保持するために用いられ、ハードディスクドライブ２６がＲＡＭ３３から移動される放送番組を保持するために用いられる。この場合には、ＣＰＵ３１が放送番組の終了までに無視聴状態になったことを確認してＲＡＭ３３に記録された放送番組をハードディスクドライブ２６に移動させて録画リストに登録する。
【００２０】
図３は図１に示すマイクロプロセッサ１０で行われるコマンド処理を示す。このコマンド処理は操作パネル２３またはリモコン２５の操作により得られるコマンドに対応するために行われる。コマンド処理が開始されると、ＣＰＵ３１はチャンネル選択操作があるかブロックＢ１１でチェックする。このチャンネル選択操作があれば、ＣＰＵ３１はブロックＢ１２で見逃し防止モードかチェックする。見逃し防止モードであれば、ＣＰＵ３１はブロックＢ１３で選択チャンネルの番組の再生および録画を開始させる。ここで、番組の録画は選択チャンネルの番組をＲＡＭ３３にファイルとして保存することより行われる。この録画中に、人感センサ２０Ａが視聴エリアＡＲ内の視聴者の存在を周期的にチェックし、この結果として無視聴状態を検出すると、割込処理によりこの番組に対する無視聴状態フラグをＲＡＭ３３の所定領域に設定する。この割込処理では、無視聴状態フラグが無視聴状態の検出時点の時刻情報と一緒に設定される。但し、この時刻情報は無視聴状態フラグが再度設定されても最先の検出時点のものに維持される。
【００２１】
また、ブロックＢ１２で見逃し防止モードでなければ、ＣＰＵ３１はブロックＢ１４で選択チャンネルの番組の再生を開始させる。続くブロックＢ１５において、ＣＰＵ３１は見逃し防止録画中であるかチェックする。見逃し防止録画中でなければ、ＣＰＵ３１はブロックＢ１１に戻る。他方、見逃し防止録画中であれば、ＣＰＵ３１はブロックＢ１６で見逃し防止録画番組の登録／消去処理をブロックＢ１６で行ってからブロックＢ１１に戻る。
【００２２】
また、ブロックＢ１１でチャンネル選択操作が無ければ、ＣＰＵ３１はメニュー操作があるかブロックＢ１７でチェックする。ＣＰＵ３１は、メニュー操作がある場合にメニューの一覧をブロックＢ１８で表示させてからブロックＢ１９に進み、メニュー操作が無い場合に直接ブロックＢ１９に進む。ブロック１９において、ＣＰＵ３１は中断番組追いかけ再生操作があるかチェックする。中断番組追いかけ再生操作があれば、ＣＰＵ３１はブロックＢ２０で視聴中断番組を最先の無視聴状態フラグ設定時点から追いかけ再生させる。ちなみに、無視聴状態フラグが設定されてない状況では、番組の最初が再生開始点になる。また、録画中の番組が無ければ、何も実行せずにブロックＢ１５へ進む。ブロックＢ１５は中断番組追いかけ再生操作が無い場合、ＣＰＵ３１はブロックＢ２１で初期設定、その他の操作処理を実行して、ブロックＢ１５へ進む。ここで、初期設定は例えばテレビ受信装置に対して設けられた各種動作モードを設定するものであって、見逃し防止モードの設定を含む。その他の操作には、ゲーム機等の外部入力と通常の放送入力との入力切替操作、電子番組表表示操作、および番組予約操作が含まれる。
【００２３】
図４は、図３に示すブロックＢ１５で行われる見逃し防止録画番組の登録／消去処理を詳細に示す。この登録／消去処理が開始されると、ＣＰＵ３１は録画中の番組がこの番組に割り当てられた放送時間の経過に伴って終了したかブロックＢ３１でチェックする。終了していれば、ＣＰＵ３１はブロックＢ３２で終了番組の録画を停止させる。これに続き、ＣＰＵ３１は終了番組について無視聴状態フラグがあるかブロックＢ３３でチェックする。無視聴状態フラグが無ければ、終了までＲＡＭ３３に録画していた番組をブロックＢ３６で消去する。他方、視聴状態フラグがあれば、ＣＰＵ３１はブロックＢ３４で録画番組をハードディスク２６に移動させて録画リストに登録し、ディスプレイ２０の画面に視聴中断番組が録画済であることを表示する。続くブロックＢ３５では、ＣＰＵ３１がこの番組に対する無視聴状態フラグをクリアする。ブロックＢ３５またはＢ３６の実行が完了すると、登録／消去処理が終了する。
【００２４】
他方、ブロックＢ３１において番組が終了していなければ、ＣＰＵ３１はブロックＢ３７でクイック録画操作があるかチェックする。クイック録画操作があれば、ＣＰＵ３１はブロックＢ３８で無視聴状態フラグを設定し、登録／消去処理を終了する。ちなみに、クイック録画操作は番組の記録中に行われる保存要求操作であり、この結果としてＣＰＵ３１は番組の終了後に放送番組を消去せずにストレージに残すことになる。
【００２５】
図５は図１に示すリモコン２５で行われるメニュー操作により表示されるメニューの一覧を示す。この一覧には、少なくとも「中断番組追いかけ再生」および「録画リスト」がメニュー項目として含まれている。ブロックＢ１９で検出される中断番組追いかけ再生操作はこの一覧で「中断番組追いかけ再生」を選択することに相当する。また、放送番組の終了後の問合せ操作としてメニュー項目の「録画リスト」を選択すれば、放送番組を登録した録画リストが表示されることになる。
【００２６】
図６は図１に示すリモコン２５に人感センサ２０Ａを設けた例を示す。このリモコン２５の人感センサ２０Ａは無指向性の赤外線センサである。このように人感センサ２０Ａをディスプレイ２０に加えてリモコン２５にも設けることにより、視聴者が放送番組を視聴していない無視聴状態をより確実に検出することができる。但し、人感センサ２０Ａはディスプレイ２０およびリモコン２５のいずれか一方だけに設けられてもよい。ちなみに、このリモコン２５はメニューボタン５０、クイック録画ボタン５１、上下左右のカーソル移動ボタン５２、決定ボタン５３、「戻る」ボタン５４、「終了」ボタン５５、チャンネル選択ボタン５６等を含む。例えば、メニューボタン５０は上述のメニュー操作に用いられ、クイック録画ボタン５１は上述のクイック録画操作に用いられ、チャンネル選択ボタン５６は上述のチャンネル選択操作に用いられる。メニュー項目の選択操作はカーソル移動ボタン５２で画面上のカーソルを所望のメニュー項目に移動させて決定ボタン５３を押すことにより行われる。ちなみに、見逃し防止モードは、メニュー項目の初期設定を選択した場合に表示される初期設定メニューに含まれる「見逃し防止モード」にカーソル移動ボタン５２で画面上のカーソルを合わせて決定ボタン５３を押すことにより設定される。
【００２７】
本実施形態では、放送番組が受信開始時からファイルとしてストレージに記録され、無視聴状態に放送番組の終了までならなかったことを確認してこのストレージから消去される。従って、視聴者が例えば来客で視聴エリアＡＲ外に移動して無視聴状態になっても、既に放送番組は受信開始時から記録されているため、この放送番組の記録結果において不所望な欠落が生じない。
【００２８】
尚、本発明は上述の実施形態に限定されず、その要旨を逸脱しない範囲で様々に変形可能である。
【００２９】
上述の実施形態のテレビ受信装置は、放送番組を表示するためにディスプレイ２０を備えているが、本発明は外部のディスプレイを利用して放送番組を表示するビデオレコーダに適用されてもよい。この場合には、放送番組を記録し消去できるハードディスク等の不揮発性ストレージがビデオレコーダに設けられる。
【００３０】
また、上述のＲＡＭ３３が番組選択に伴って記録される放送番組を保持するために用いられたが、ハードディスクドライブ２６が番組選択に伴って記録される放送番組を保持するために用いられ、ＣＰＵ３１が放送番組の終了までに無視聴状態になったことを確認して放送番組をハードディスクドライブ２６において一領域から別の領域に移動させて録画リストに登録してもよい。
【００３１】
また、上述の実施形態では、放送波の受信信号から復調される放送番組が録画対象であったが、例えばネットワークを介してストリーム配信される放送番組が録画対象であってもよい。
【００３２】
また、上述の実施形態では、操作パネル２３やリモコン２５のチャンネル選択操作により放送中の放送番組が選択されたが、放送波から取得される電子番組表を表示させる場合にはこの番組表において放送番組が選択される。また、ゲーム機等の外部入力から通常の放送入力への入力設定変更や電源投入が行われる場合には、前回と同じチャンネルの放送番組が選択される。これらの処理は、例えばブロックＢ２１の操作処理の一部で行われる。この処理が行われる場合には、さらにブロックＢ１２およびＢ１３と同様に、見逃し防止モードがチェックされ、見逃し防止モードである場合にこのチャンネルの放送番組の再生および録画が開始される。
【００３３】
また、上述の実施形態において、人感センサ２０Ａは赤外線センサであったが、無視聴状態を検出するために赤外線を用いないタイプのセンサに置換えてもよい。
【符号の説明】
【００３４】
１０…マイクロプロセッサ、１１〜２２…データ処理回路、２０…ディスプレイ、２０Ａ…人感センサ、２３…操作パネル、２５…リモコン、２６…ハードティスクドライブ、３１…ＣＰＵ３１、３２…ＲＯＭ、３３…ＲＡＭ、３５…時計回路。
【図１】
2011015084.tif 000003
【図２】
2011015084.tif 000004
【図３】
2011015084.tif 000005
【図４】
2011015084.tif 000006
【図５】
2011015084.tif 000007
【図６】
2011015084.tif 000008